(57)【特許請求の範囲】
【請求項１】
入水口から出水口に向けて水が流れるジャケット内に上端開口を密閉するジャケット蓋に取り付けた外管で保護してランプ管内に放電用の電極を対向して設けた直管状の紫外線ランプを前記ジャケット蓋から下方に配備しジャケット内を流れる水を紫外線で殺菌する流水の紫外線殺菌装置において、
前記紫外線ランプの放電の開始を促すために点灯されて紫外線ランプの内部を照射して種電子を生成させる補助光源を直管状の前記紫外線ランプのランプ管の上端に接して設け、
前記紫外線ランプのランプ管を前記補助光源の光を前記紫外線ランプ内に導入する導光管として、前記補助光源の照射に基づいて内部に種電子が生成され、電源の印加と同時に放電が開始して点灯されるようにしたこと
を特徴とする流水の紫外線殺菌装置。
【請求項２】
入水口から出水口に向けて水が流れるジャケット内に上端開口を密閉するジャケット蓋に取り付けた外管で保護してランプ管内に放電用の電極を対向して設けた直管状の紫外線ランプを前記ジャケット蓋から下方に配備しジャケット内を流れる水を紫外線で殺菌する流水の紫外線殺菌装置において、
前記紫外線ランプの放電の開始を促すために点灯されて紫外線ランプの内部を照射して種電子を生成させる補助光源を直管状の前記紫外線ランプを保護する前記外管の上端に近接して設け、
前記外管を前記補助光源の光を前記紫外線ランプ内に導入する導光管として、前記補助光源の照射に基づいて内部に種電子が生成され、電源の印加と同時に放電が開始して点灯されるようにしたこと
を特徴とする流水の紫外線殺菌装置。
【発明の詳細な説明】
【０００１】
【発明の属する技術分野】
本発明は殺菌装置に係り、特に流水の循環路に配備し流水を紫外線で殺菌する流水の紫外線殺菌装置に関するものである。
【０００２】
【従来技術】
【０００３】
従来から流水を循環路の途中で殺菌することは広く行われており、このための殺菌装置とし紫外線ランプを利用した紫外線殺菌装置が小型で殺菌能力が高くしかも管理が容易な殺菌装置として多く利用されている。
【０００４】
紫外線殺菌装置は、紫外線ランプを外管で覆いジャケット内に配備し、流水がジャケット内を入水口から出水口に向かって流れる際に紫外線殺菌するような構成となっている。
【０００５】
この紫外線殺菌装置の一例は図４に示す通りであり、ジャケット１は、入水口２と出水口３とが設けられ、上端の開口はジャケット蓋４で塞がれ、金属或いはプラスチックで作られる。
【０００６】
６は石英等の紫外線透過性の良いガラスで作られた外管で、この外管６はジャケット蓋４に中央に設けられた取付穴５にＯリングのようなパッキン７でシールし水漏れがないようにしながら嵌め合わせて取り付けられている。
【０００７】
８が外管６の中に差し込まれた紫外線ランプで、ジャケット１内には、紫外線ランプ８が、外側を外管６で覆って水と直接接触しないようにして、温度差によって割れないよう保護した状態として配備されている。
【０００８】
紫外線ランプ８は、上端が開口し下端が閉じた直管状のランプ管９の上下両端に電極１０が設けられた直管タイプの水銀ランプであり、上端が耐熱性、難燃性、耐紫外線性等に優れたセラミックやＰＢＴ樹脂で作られたランプベース１１で保持されている。
【０００９】
上端側の一方の電極１０からは半田付け可能なニッケルメッキ線１２が引き出され、下端側他の一方の電極１０とランプベース１１は紫外線に強いテフロンチューブで絶縁した裸線１３で繋がり、上端側の電極１０から引き出されたニッケルメッキ線１２と下端側の電極１０に繋がる裸線１３とはランプベース１１内の凹み部でリード線１４にスポット溶接され、ランプ端面と共にステアタイト等でモールドされている。
【００１０】
１５はＤＣ−ＡＣインバータ回路が配備され、リード線１４を介して紫外線ランプ８の２つの電極１０に繋がったインバータ基板であり、紫外線ランプ８は、制御装置１６の制御に基づいてインバータ基板１５から２つの電極１０の間に高周波の高電圧が印加されて点灯し、紫外線を放射する。
【００１１】
【発明が解決しようとする課題】
しかしながら従来の紫外線殺菌装置では、インバータ基板１５から高周波の高電圧が印加されてもすぐには点灯しない点灯遅れが起き、殺菌不良となったり、装置の不良と誤認してしまったりする欠点があった。
【００１２】
すなわち紫外線ランプ８は、放電用の２つの電極１０の間に高周波の高電圧が印加されるとランプ内の種電子による放電が開始して点灯し、以後は放電によりランプ内に電子が生成して点灯が続くようになっている。
【００１３】
紫外線ランプ８は、消灯中に１０ルックス以上の光が当たっているとランプ内の水銀分子が励起されて種電子が生成しているので、２つの電極１０の間に高周波の高電圧を印加すれば直ちに放電を開始して点灯し、点灯遅れの時間は１秒以内である。
【００１４】
これに対して消灯中に光が全く当てられていないとランプ内の種電子が少なくなるので、高周波の高電圧を２つの電極１０の間に印加しても、印加電圧がインバータボード１５のばらつきによって低かったり或いは周囲の温度が低かったりすると直ちには点灯しないで、点灯遅れの時間は数分間と長くなる。
【００１５】
点灯遅れの時間が長くなると、当然のことながら点灯が遅れた時間だけ殺菌されない水が流れてしまい、またインバータ電流を監視していて所定時間内に所定の電流が流れない場合にはインバータボード１５或いは紫外線ランプ８が不良になったと判断して誤って交換してしまう。
【００１６】
ところが紫外線殺菌装置は、流水の処理装置内に配備する場合には漏れ出た紫外線が装置内の他の部品に当たって部品を劣化させたり、人に当たって目や皮膚を傷めるのを防ぐため、前記したようにジャケット１内に密閉して収納して紫外線が外に漏れ出ないようにしている。
【００１７】
したがって流水の紫外線殺菌装置では、紫外線が外に漏れ出ないようにしているのであるから当然外からの光も入らないので、前記したような理由で長い時間の点灯遅れが起き易い。
【００１８】
本発明は前記したような従来技術の欠点を解消し、紫外線が漏れ出ないで安全性がきちんと保たれると同時に、消灯後でも殆ど遅れないで直ちに点灯する流水の紫外線殺菌装置を提供することを目的とする。
【００１９】
【課題を解決するための手段】
上記目的を達成するために、本発明は、入水口から出水口に向けて水が流れるジャケット内に上端開口を密閉するジャケット蓋に取り付けた外管で保護してランプ管内に放電用の電極を対向して設けた直管状の紫外線ランプを前記ジャケット蓋から下方に配備しジャケット内を流れる水を紫外線で殺菌する流水の紫外線殺菌装置において、前記紫外線ランプの放電の開始を促すために点灯されて紫外線ランプの内部を照射して種電子を生成させる補助光源を直管状の前記紫外線ランプのランプ管の上端に接して設け、前記紫外線ランプのランプ管を前記補助光源の光を前記紫外線ランプ内に導入する導光管として、前記補助光源の照射に基づいて内部に種電子が生成され、電源の印加と同時に放電が開始して点灯されるようにしたことを特徴とする流水の紫外線殺菌装置とすることで課題を解決した。
【００２０】
また本発明は、入水口から出水口に向けて水が流れるジャケット内に上端開口を密閉するジャケット蓋に取り付けた外管で保護してランプ管内に放電用の電極を対向して設けた直管状の紫外線ランプを前記ジャケット蓋から下方に配備しジャケット内を流れる水を紫外線で殺菌する流水の紫外線殺菌装置において、前記紫外線ランプの放電の開始を促すために点灯されて紫外線ランプの内部を照射して種電子を生成させる補助光源を直管状の前記紫外線ランプを保護する前記外管の上端に近接して設け、前記外管を前記補助光源の光を前記紫外線ランプ内に導入する導光管として、前記補助光源の照射に基づいて内部に種電子が生成され、電源の印加と同時に放電が開始して点灯されるようにしたことを特徴とする流水の紫外線殺菌装置とすることで課題を解決した。
【００２１】
【発明の実施の形態】
本発明の実施の形態について実施例を示す図１から図３に基づいて説明するが、従来例と同一の構成要素には同一の符号を付けてあるので同一の構成部分についての説明は省略する。
【００２２】
図１に第１の実施例が縦断面図として示され、紫外線ランプ８の放電用の２つの対向した電極１０に高周波の高電圧を印加するためのインバータ基板１５は、ランプベース１１上部に回路ケース１７内に収納したり、ランプベース１１と一体として設けた収納部に収納し、水やゴミが付かないようにモールド剤でモールドしたり或いは表面を防湿剤で被覆したりして配備されている。
【００２３】
インバータ基板１５は、紫外線ランプ８の２つの電極１０に接続するリード線１３が直接半田付けされ、制御装置１６とは防水コネクタ１９を介してリード線１８で接続している。
【００２４】
２０が補助光源であり、豆電球或いは高輝度ＬＥＤが利用され、ランプベース１１内に紫外線ランプ８のランプ管９の上端面に接した位置にリード線２１をインバータボード１５に直接接続して配備されている。
【００２５】
したがってこの第１実施例は補助光源２０を紫外線ランプ８のランプ管９に対して配備してあり、紫外線ランプ８を点灯する際には補助光源２０も点灯し、ランプ管９を導光管として紫外線ランプ８内を照射して種電子を生成するようにする。
【００２６】
すると紫外線ランプ８は点灯遅れがなく直ちに点灯するので、紫外線ランプ８の点灯を前記したようにインバータ電流を監視して確認したなら補助光源２０を消灯する。
【００２７】
次に第２の実施例について図２の縦断面図及び図３の部分拡大縦断面図に基づいて説明する。
【００２８】
この第２実施例では、補助光源２０は、ランプベース１１上部の回路ケース１７内に紫外線ランプ８を保護する外管６の上端面に接した位置に、リード線２１をインバータボード１５に直接接続して配備されている。
【００２９】
したがって補助光源２０は、第１実施例では紫外線ランプ８のランプ管９に対して配備してあったの対して、第２実施例では紫外線ランプ８を保護する外管６に対して配備してある。
【００３０】
この第２実施例の場合も、紫外線ランプ８を点灯する際には補助光源２０も点灯すると、外管６を導光管として紫外線ランプ８内は照射され種電が生成され、紫外線ランプ８は点灯遅れがなく直ちに点灯する。
【００３１】
そこで、紫外線ランプ８が完全に点灯したのを前記したようにインバータ電流を監視して確認した後に補助光源２０を消灯する。
【００３２】
紫外線ランプ８は、前記した２つの実施例におけるように補助光源２０により点灯時に種電子を生成させると、例え消灯時に全く光が当たっていなくても印加電圧のばらつきや周囲温度に関係なく素早く確実に点灯するようになる。
【００３３】
このように紫外線ランプ８は点灯遅れがなく確実に点灯するので、点灯と同時に水の殺菌は始まり、またインバータ電流が所定の値に達しない場合には紫外線ランプ８或いはインバータボード１５が不良となったのが確実であるので、迷うことなく交換できる。
【００３４】
また紫外線ランプ８を点灯した際に紫外線ランプの種類によってはオゾンが発生するが、第１及び第２実施例共に補助光源２０及びリード線２１はオゾンに触れて損傷しないような位置に配備されている。
【００３５】
すなわち補助ランプ２０は、第１実施例のようにランプベース１１内に配備すればオゾン触れる心配は全くなく、又第２実施例のように回路ケース１６内に配備する場合でも光を通すために開けた穴を図３の配置のように透明樹脂またはガラスなどで作った透明窓２２で塞いでおけばオゾンが触れる心配は全くない。
【００３６】
【発明の効果】
本発明は以上のように構成され、紫外線殺菌装置を流水の処理装置内に配備する場合に紫外線ランプをジャケット内に密閉して配備し、漏れ出た紫外線が装置内の他の部品に当たって部品を劣化させたり、人に当たって目や皮膚を傷める危険を全くなくする。
【００３７】
また紫外線を装置外に漏れ出ないようにしたために消灯時に外からは光が入らず種電子が生成しないで点灯遅れし易い状態になっているにもかかわらず、点灯時には印加電圧のばらつきや周囲の温度に関係なく点灯遅れがなく直ちに確実に点灯し、長時間の点灯遅れのために点灯時の殺菌不良が起きなくなり、同時に紫外線ランプやインバータボードを不良と誤認しなくなる。
【００３８】
このようにして、紫外線が漏れ出ないで安全性がきちんと保たれ、同時に何時でも点灯遅れがなく直ちに確実に点灯し、殺菌性に優れしかもメンテナンスを容易にしかも確実にできる流水の紫外線殺菌装置が提供される。
【図面の簡単な説明】
【図１】第１実施例縦断面図、
【図２】第２実施例縦断面図、
【図３】第２実施例部分拡大縦断面図、
【図４】従来例縦断面図。
【符号の説明】
１              ジャケット
４              ジャケット蓋
６              外管
８              紫外線ランプ
９              ランプ管
１１              ランプベース
１５              インバータボード
１７              回路ケース
２０              補助光源
２２              透明窓
【図１】
0004020993.tif 000002
【図２】
0004020993.tif 000003
【図３】
0004020993.tif 000004
【図４】
0004020993.tif 000005